(57)【要約】【課題】複数の画像を任意の位置に正確に投影でき、複数の画像を並べ、重ねた投影ができるようにする。【解決手段】画像投影光学系により投影装置１による投影画像を任意の領域に投影し、投影方向制御部３により画像投影光学系を制御して投影画像を投影する領域を制御し、カメラ４により画像投影光学系の投影領域を撮影し、投影画像制御部５により投影画像の投影を制御し、前記画像撮像系にて撮影した撮影画像を基に投影画像処理部６により投影画像を補正する。投影画像制御部は、画像撮像系にて画像投影光学系の領域を撮影した撮影画像から回転運動に伴う回転鏡のノッキング状態を検出し、投影画像の投影を制御する。投影画像処理部は、投影方向制御部で制御している回転鏡の回転状態から算出される複数の投影画像の配置関係に応じて、投影する投影画像を補正する。【選択図】  図１
2004177841.tif 000002
【特許請求の範囲】
【請求項１】
一台の投影装置によって複数の画像を任意の位置に投影するプロジェクタ装置であって、
前記投影装置による投影画像を任意の領域に投影する画像投影光学系と、
前記画像投影光学系を制御し、前記投影画像を投影する領域を制御する投影方向制御部と、
前記画像投影光学系の領域を撮影する画像撮像系と、
前記画像撮像系にて撮影した撮影画像を基に前記投影画像の投影を制御する投影画像制御部と、
前記投影画像を補正する投影画像処理部と、
を有することを特徴とするプロジェクタ装置。
【請求項２】
前記画像投影光学系は、前記投影装置の光軸に平行及び垂直な軸の少なくとも１つ以上の軸を回転軸とする回転鏡を少なくとも２つ以上有し、
前記投影方向制御部は、前記回転鏡の回転位置を制御し、前記投影画像を任意の領域に投影させることを特徴とする請求項１に記載のプロジェクタ装置。
【請求項３】
前記画像撮像系は、前記投影装置の光軸と平行な中心軸を有するカメラを有し、前記カメラは、前記画像投影光学系の領域を撮影することを特徴とする請求項１に記載のプロジェクタ装置。
【請求項４】
前記投影画像制御部は、前記画像撮像系にて前記画像投影光学系の領域を撮影した撮影画像から回転運動に伴う回転鏡のノッキング状態を検出し、投影画像の投影を制御することを特徴とする請求項１に記載のプロジェクタ装置。
【請求項５】
前記投影画像処理部は、投影方向制御部で制御している回転鏡の回転状態から算出される複数の投影画像の配置関係に応じて、投影する投影画像を補正することを特徴とする請求項１に記載のプロジェクタ装置。
【請求項６】
前記画像撮像系は、可視領域の波長を検出および赤外領域の波長を検出するカメラで構成され、
前記画像投影光学系は、該赤外領域の波長をカットするフィルタを含むことを特徴とする請求項１〜５のいずれか１項に記載のプロジェクタ装置。
【請求項７】
一台の投影装置によって複数の画像を任意の位置に投影する画像投影方法であって、
画像投影光学系により前記投影装置による投影画像を任意の領域に投影し、
投影方向制御部により前記画像投影光学系を制御し、前記投影画像を投影する領域を制御し、
画像撮像系により前記画像投影光学系の領域を撮影し、
投影画像制御部により前記画像撮像系にて撮影した撮影画像を基に前記投影画像の投影を制御し、
投影画像処理部により前記投影画像を補正する、
ことを特徴とする画像投影方法。
【請求項８】
前記画像投影光学系は、前記投影装置の光軸に平行及び垂直な軸の少なくとも１つ以上の軸を回転軸とする回転鏡を少なくとも２つ以上有し、
前記投影方向制御部は、前記回転鏡の回転位置を制御し、前記投影画像を任意の領域に投影させることを特徴とする請求項７に記載の画像投影方法。
【請求項９】
前記画像撮像系は、前記投影装置の光軸と平行な中心軸を有するカメラを有し、前記カメラは、前記画像投影光学系の領域を撮影することを特徴とする請求項７に記載の画像投影方法。
【請求項１０】
前記投影画像制御部は、前記画像撮像系にて前記画像投影光学系の領域を撮影した撮影画像から回転運動に伴う回転鏡のノッキング状態を検出し、投影画像の投影を制御することを特徴とする請求項７に記載の画像投影方法。
【請求項１１】
前記投影画像処理部は、投影方向制御部で制御している回転鏡の回転状態から算出される複数の投影画像の配置関係に応じて、投影する投影画像を補正することを特徴とする請求項７に記載の画像投影方法。
【請求項１２】
前記投影画像制御部は、
前記カメラから前記画像投影光学系の領域を撮影した撮影画像を入力する手順と、
撮影画像から微分処理により画像エッジを抽出する手順と、
エッジ画像から前記回転鏡の領域を抽出する手順と、
前フレームの撮影画像を利用して、フレーム間の差分画像を算出する手順と、
差分画像の前記回転鏡の領域に対応する部分から、画像ぶれを判断する手順と、
画像ぶれが生じている場合に、前記投影方向制御部へ投影制御情報を出力する手順と、
を有することを特徴とする請求項１０に記載の画像投影方法。
【請求項１３】
前記投影画像処理部は、
投影方向制御部から回転鏡の状態を入力する手順と、
撮影画像から投影画像中の特徴点と回転鏡で反射された対応する特徴点を抽出する手順と、
特徴点の位置から投影画像の重なりを算出する手順と、
配置関係に基づいて画像種別を包含、重畳、離れているの３種類に分類し、投影画像を補正する手順と、
投影方向制御部へ補正された投影画像を出力する手順と、
を有することを特徴とする請求項１１に記載の画像投影方法。
【請求項１４】
前記投影画像の補正は、
前記算出した投影画像の重なりを入力する手順と、
投影面上の点と投影画像上の点との対応をとることにより、投影画像における重なり領域を抽出する手順と、
投影画像からの重なり領域を切り抜く手順と、
投影画像が上手く重なるように投影画像を重なり領域に合わせてアフィン変換等により幾何補正する手順と、
投影装置に出力するために統合された投影画像を作成する手順と、
を有することを特徴とする請求項１３に記載の画像投影方法。
【請求項１５】
前記画像撮像系は、可視領域の波長を検出および赤外領域の波長を検出するカメラで構成し、
前記画像投影光学系は、前記カメラで検出する赤外領域の波長をフィルタでカットすることを特徴とする請求項７〜１４のいずれか１項に記載の画像投影方法。
【請求項１６】
請求項７〜１５のいずれか１項に記載の画像投影方法を、コンピュータで実行可能に構成したことを特徴とするプログラム。
【請求項１７】
請求項７〜１５のいずれか１項に記載の画像投影方法を、コンピュータで実行可能に構成したプログラムを記録したことを特徴とする記録媒体。
【発明の詳細な説明】
【０００１】
【発明の属する技術分野】
本発明は、複数の画像を任意の位置に投影するプロジェクタ装置および画像投影方法に関する。
【０００２】
【従来の技術】
従来、画像を任意の位置に投影するプロジェクタ装置に関する装置としては、プラネタリウム等の全周囲投影装置が知られている。また、パノラマ画像等の広視野画像を投影するパノラマ統制装置が提案されている（例えば、特許文献１参照）。このパノラマ投影装置は、双曲面鏡等の凸面鏡を用いることで、投影方向を全周囲に反射し、広視野映像投影を実現している。
【０００３】
このような全周囲投影装置は、一台のプロジェクタ装置で全周囲映像を表示するため、解像度が粗くなり、高精細な映像を表示することは困難であった。
【０００４】
その対策として、パノラマ投影装置に加え、装置に取り付けられた可動型の光学系により、任意の位置に画像を投影する装置が提案されている（例えば、特許文献２参照）。
【０００５】
【特許文献１】
特開昭５９−３１９９４号
【０００６】
【特許文献２】
特開２００２−１１２０９４
【０００７】
【発明が解決しようとする課題】
しかしながら、上記従来技術によれば、可動型の光学系のための駆動装置が必要になり、投影位置を正しい位置に補正するまでの時間を要したり、装置のノッキング状態が続いたりするという問題点を有している。
【０００８】
そのため、その状態で画像を投影すると、非常に見にくく、使い勝手が悪くなってしまう。また、これらの光学系は限定されたものであり、画像の重畳表示など、複数の画像の投影を行うことが困難となってしまうという問題点を有している。
【０００９】
本発明は、上記問題点に鑑みなされたものであり、複数の画像を任意の位置に正確に投影でき、複数の画像を並べ、重ねた投影ができるプロジェクタ装置、画像投影方法、この方法のプログラム、このプログラムを記録した記録媒体を提供することを目的とする。
【００１０】
【課題を解決するための手段】
かかる目的を達成するために、本発明におけるプロジェクタ装置、画像投影方法は、一台の投影装置を有するプロジェクタ装置であって、前記投影装置は、投影画像を任意の領域に投影する画像投影光学系と、前記画像投影光学系を制御し、前記投影画像を投影する領域を制御する投影方向制御部と、前記画像投影光学系の領域を撮影する画像撮像系と、前記投影画像の投影を制御する投影画像制御部と、前記投影画像を補正する投影画像処理部とを備えることを特徴としている。
【００１１】
上記のプロジェクタ装置において、画像投影光学系は、投影装置の光軸に平行及び垂直な軸の少なくとも１つ以上の軸を回転軸とする回転鏡を少なくとも２つ以上有し、投影方向制御部は、回転鏡の回転位置を制御し、投影画像を任意の領域に投影させることを特徴としている。
【００１２】
また、上記のプロジェクタ装置において、画像撮像系は、前記投影装置の光軸と一致する中心軸を有するカメラを有し、このカメラは、画像投影光学系の領域を撮影することを特徴としている。
【００１３】
あるいは、上記のプロジェクタ装置において、投影画像制御部は、画像撮像系にて画像投影光学系の領域を撮影した撮影画像から回転運動に伴う回転鏡のノッキング状態を検出し、投影画像の投影を制御することを特徴としている。
【００１４】
また、上記のプロジェクタ装置において、投影画像処理部は、投影方向制御部で制御している回転鏡の回転状態から算出される複数の投影画像の配置関係に応じて、投影する投影画像を補正することを特徴としている。
【００１５】
本発明では、回転鏡を少なくとも２つ以上有するように構成されることにより、ひとつの投影を複数の投影で構成できるようになり、本来重畳されて見えない情報が一方の投影を手などの遮蔽物で遮蔽することにより、投影画像処理部にフィードバックがかかり、画像が補正されて見ることができるようにし、非常に使い勝手の良い処理を実現する。
【００１６】
また、投影画像を投影する際、回転鏡の回転運動に伴うノッキング状態を検出することにより、可動型の光学系のための駆動装置が有する問題を軽減できるようにし、微動による投影画像が非常に見にくい状態を排除できるようにし、非常に見やすい情報の提示を実現する。
【００１７】
更には、複数の回転鏡の配置状態に応じて投影する画像を補正することにより、投影される画像の情報を並べて利用したり、重ねて利用したりできるようにし、非常に快適な情報の提示を実現する。
【００１８】
以上のことから、本発明は、以下のプロジェクタ装置、画像投影方法、プログラム、記録媒体を特徴とする。
【００１９】
（装置の発明）
（１）一台の投影装置によって複数の画像を任意の位置に投影するプロジェクタ装置であって、
前記投影装置による投影画像を任意の領域に投影する画像投影光学系と、
前記画像投影光学系を制御し、前記投影画像を投影する領域を制御する投影方向制御部と、
前記画像投影光学系の領域を撮影する画像撮像系と、
前記画像撮像系にて撮影した撮影画像を基に前記投影画像の投影を制御する投影画像制御部と、
前記投影画像を補正する投影画像処理部と、
を有することを特徴とする。
【００２０】
（２）前記画像投影光学系は、前記投影装置の光軸に平行及び垂直な軸の少なくとも１つ以上の軸を回転軸とする回転鏡を少なくとも２つ以上有し、
前記投影方向制御部は、前記回転鏡の回転位置を制御し、前記投影画像を任意の領域に投影させることを特徴とする。
【００２１】
（３）前記画像撮像系は、前記投影装置の光軸と平行な中心軸を有するカメラを有し、前記カメラは、前記画像投影光学系の領域を撮影することを特徴とする。
【００２２】
（４）前記投影画像制御部は、前記画像撮像系にて前記画像投影光学系の領域を撮影した撮影画像から回転運動に伴う回転鏡のノッキング状態を検出し、投影画像の投影を制御することを特徴とする。
【００２３】
（５）前記投影画像処理部は、投影方向制御部で制御している回転鏡の回転状態から算出される複数の投影画像の配置関係に応じて、投影する投影画像を補正することを特徴とする。
【００２４】
（６）前記画像撮像系は、可視領域の波長を検出および赤外領域の波長を検出するカメラで構成され、
前記画像投影光学系は、該赤外領域の波長をカットするフィルタを含むことを特徴とする。
【００２５】
（方法の発明）
（７）一台の投影装置によって複数の画像を任意の位置に投影する画像投影方法であって、
画像投影光学系により前記投影装置による投影画像を任意の領域に投影し、
投影方向制御部により前記画像投影光学系を制御し、前記投影画像を投影する領域を制御し、
画像撮像系により前記画像投影光学系の領域を撮影し、
投影画像制御部により前記画像撮像系にて撮影した撮影画像を基に前記投影画像の投影を制御し、
投影画像処理部により前記投影画像を補正する、
ことを特徴とする。
【００２６】
（８）前記画像投影光学系は、前記投影装置の光軸に平行及び垂直な軸の少なくとも１つ以上の軸を回転軸とする回転鏡を少なくとも２つ以上有し、
前記投影方向制御部は、前記回転鏡の回転位置を制御し、前記投影画像を任意の領域に投影させることを特徴とする。
【００２７】
（９）前記画像撮像系は、前記投影装置の光軸と平行な中心軸を有するカメラを有し、前記カメラは、前記画像投影光学系の領域を撮影することを特徴とする。
【００２８】
（１０）前記投影画像制御部は、前記画像撮像系にて前記画像投影光学系の領域を撮影した撮影画像から回転運動に伴う回転鏡のノッキング状態を検出し、投影画像の投影を制御することを特徴とする。
【００２９】
（１１）前記投影画像処理部は、投影方向制御部で制御している回転鏡の回転状態から算出される複数の投影画像の配置関係に応じて、投影する投影画像を補正することを特徴とする。
【００３０】
（１２）前記投影画像制御部は、
前記カメラから前記画像投影光学系の領域を撮影した撮影画像を入力する手順と、
撮影画像から微分処理により画像エッジを抽出する手順と、
エッジ画像から前記回転鏡の領域を抽出する手順と、
前フレームの撮影画像を利用して、フレーム間の差分画像を算出する手順と、
差分画像の前記回転鏡の領域に対応する部分から、画像ぶれを判断する手順と、
画像ぶれが生じている場合に、前記投影方向制御部へ投影制御情報を出力する手順と、
を有することを特徴とする。
【００３１】
（１３）前記投影画像処理部は、
投影方向制御部から回転鏡の状態を入力する手順と、
撮影画像から投影画像中の特徴点と回転鏡で反射された対応する特徴点を抽出する手順と、
特徴点の位置から投影画像の重なりを算出する手順と、
配置関係に基づいて画像種別を包含、重畳、離れているの３種類に分類し、投影画像を補正する手順と、
投影方向制御部へ補正された投影画像を出力する手順と、
を有することを特徴とする。
【００３２】
（１４）前記投影画像の補正は、
前記算出した投影画像の重なりを入力する手順と、
投影面上の点と投影画像上の点との対応をとることにより、投影画像における重なり領域を抽出する手順と、
投影画像からの重なり領域を切り抜く手順と、
投影画像が上手く重なるように投影画像を重なり領域に合わせてアフィン変換等により幾何補正する手順と、
投影装置に出力するために統合された投影画像を作成する手順と、
を有することを特徴とする。
【００３３】
（１５）前記画像撮像系は、可視領域の波長を検出および赤外領域の波長を検出するカメラで構成し、
前記画像投影光学系は、前記カメラで検出する赤外領域の波長をフィルタでカットすることを特徴とする。
【００３４】
（プログラムの発明）
（１６）上記（７）〜（１５）のいずれか１項に記載の画像投影方法を、コンピュータで実行可能に構成したことを特徴とするプログラム。
【００３５】
（記録媒体の発明）
（１７）上記（７）〜（１５）のいずれか１項に記載の画像投影方法を、コンピュータで実行可能に構成したプログラムを記録したことを特徴とする記録媒体。
【００３６】
【発明の実施の形態】
以下、本発明の一実施形態を、図面を参照しながら詳細に説明する。
【００３７】
本発明に係るプロジェクタ装置は一台の投影装置を有し、この投影装置は、投影画像を任意の領域に投影する画像投影光学系と、画像投影光学系を制御し、投影画像を投影する領域を制御する投影方向制御部と、画像投影光学系の領域を撮像する画像撮像系と、投影画像の投影を制御する投影画像制御部と、投影画像を補正する投影画像処理部とを有する。
【００３８】
図１は、本発明のプロジェクタ装置を示す構成図である。同図によれば、このプロジェクタ装置は、投影装置１、回転鏡２、投影方向制御部３、カメラ４、投影画像制御部５、投影画像処理部６とを有する。
【００３９】
投影装置１には、液晶プロジェクタなどを用いることができる。この液晶プロジェクタは、２枚の偏光方向が直角に交わる偏光フィルタの間に液晶をはさみこみ、電圧のＯＮ／ＯＦＦにより、液晶分子が通す光と遮断する光を制御して、画像を出力する装置である。
【００４０】
カメラ４には、ＣＣＤ（Ｃｈａｒｇｅ  Ｃｕｐｌｅｄ  Ｄｅｖｉｃｅ）カメラなどを利用するとしてよい。これはＣＣＤを撮像素子として用いたカメラであり、投影光学系あるいは投影画像の投影領域が含まれる領域の画像を取得できるように設置される。
【００４１】
回転鏡２は、投影装置１の光軸に平行及び垂直な軸の少なくとも１つ以上の軸に関して回転可能な反射鏡で、画像投影光学系の一部である。回転運動による鏡の向きは、投影方向制御部３で制御され、任意の領域に投影画像を表示する。このとき、光軸に平行な周りの回転によりパン方向の移動が可能であり、もう一方の軸に関する回転によってチルト方向の移動が可能である。回転鏡２、及び投影方向制御部３における２軸制御などは、公知の技術や手法を用いることができる。
【００４２】
投影画像制御部５は、画像撮像系にて画像投影光学系の領域を撮影した撮影画像から回転運動に伴う回転鏡のノッキング状態を検出し、投影画像の投影を制御する。この投影制御の処理手順を、図２を参照しながら説明する。この処理は図２に示す手順で、以下のように行われる。
【００４３】
［ステップ１］カメラから画像投影光学系の領域を撮影した撮影画像を入力する。
【００４４】
［ステップ２］撮影画像から微分処理により画像エッジを抽出する。
【００４５】
［ステップ３］エッジ画像から回転鏡の領域を抽出する。
【００４６】
［ステップ４］前フレームの撮影画像を利用して、フレーム間の差分画像を算出する。
【００４７】
［ステップ５］差分画像の回転鏡の領域に対応する部分から、画像ぶれを判断する。
【００４８】
［ステップ６］画像ぶれが生じている場合に、投影方向制御部へ投影制御情報を出力する。
【００４９】
なお、領域抽出処理は、公知の方法を用いて行うことができ、従来の手法と特に変わるところがないので、ここではその詳細な説明は省略する。また、画像ぶれを判断するための差分画像に対する閾値は、テストパターンによる試行によりあらかじめ決めておくとしてもよいし、照明条件などを検知し、動的に変更される値を利用するとしてもよい。
【００５０】
次に、投影画像処理部６は、投影方向制御部３で制御している回転鏡２の回転状態から算出される複数の投影画像の配置関係に応じて、投影する投影画像を補正する処理である。この処理手順を、図３を参照しながら説明する。この処理は図３に示す手順で、以下のように行われる。
【００５１】
［ステップ１１］投影方向制御部から回転鏡の状態を入力する。
【００５２】
［ステップ１２］撮影画像から投影画像中の特徴点と回転鏡で反射された対応する特徴点を抽出する。
【００５３】
［ステップ１３］特徴点の位置から投影画像の重なりを算出する。
【００５４】
［ステップ１４］配置関係に基づいて画像種別を包含、重畳、離れているの３種類に分類し、投影画像を補正する。
【００５５】
［ステップ１５］投影方向制御部へ補正された投影画像を出力する。
【００５６】
このステップ１２、及びステップ１３の処理について、図４を参照しながら詳細に説明する。説明を分かりやすくするため、投影装置１とカメラ４と回転鏡２および投影面Ｓが図４に示すような構成になっているものとする。
【００５７】
図４において、投影画像が回転鏡２に対して投影され、回転鏡上で特徴点Ｐ、投影面上で特徴点Ｑになっているとする。回転鏡２は理想的な全反射面ではないため、この様子をカメラ４で撮影すると、これらの特徴点は、Ｐ’（点Ｐと同じ）、Ｑ’として抽出可能である。この２点の位置ずれは奥行き（ここでは、カメラから投影面までの距離）に関係するので，投影される領域を算出することができる。
【００５８】
また、ステップ１４の投影画像の補正処理では、その配置関係により、きれいに並列できるように画像を補正、及び重なっている領域が多重に投影されないように画像を補正することが行われる。図３のステップ１４の詳細は図５に示す以下の手順で行われる。
【００５９】
［ステップ２１］図３のステップ１３で算出した投影画像の重なりを入力する。
【００６０】
［ステップ２２］投影面上の点と投影画像上の点との対応をとることにより、投影画像における重なり領域を抽出する。
【００６１】
［ステップ２３］投影画像からの重なり領域を切り抜く。
【００６２】
［ステップ２４］投影画像が上手く重なるように投影画像を重なり領域に合わせてアフィン変換等により幾何補正する。
【００６３】
［ステップ２５］投影装置に出力するために統合された投影画像を作成する。
【００６４】
以降では、上述した処理手順を実際のデータに即して、具体的に説明する。投影画像制御部５での処理結果の例を図６に示す。まず、撮影画像に対して、エッジ画像５０１を生成する。回転鏡２とカメラ４の配置関係はあらかじめ分かっているので、撮影画像中のどこの領域にいくつの回転鏡があるかを知ることができる。この考え方を基に、このエッジ画像５０１から回転鏡２の領域５０２を抽出する。こうして抽出された領域に対して、前フレームの撮影画像で同様に処理された結果と比較することにより、画像ぶれを検出する。このとき、フレーム間差分画像を算出すると５０３に示すようになったとして、右側の領域に示す回転鏡がノッキングしていると判断され、この回転鏡に投影される画像の投影が行われなくなる。
【００６５】
次に、投影画像処理部６での処理結果の例を図７〜図１２に示す。いま、図７の６０１に示すような画像を２つの回転鏡を利用して、投影する場合を考える。図５を用いて説明した処理により、投影される領域が６０２に示すように算出されたとする。この場合、投影される領域が重なっているので、補正処理なしに投影すると上手く投影できないことになる。補正処理が行われない場合、図８の７０１に示すような２つの投影画像になる。これをそのまま投影すると、７０２に示すように重なる領域ができ、正確に情報を提示することができない。そのため、図９の８０１に示すような投影画像の補正を行うことにより、８０２に示すように正確な情報提示が可能となる。
【００６６】
次に、図１０に示すような２つの画像１０１（全体地図）と画像１０２（全体地図から切り出した地域の天気予報地図）を２つの回転鏡を利用して、図１１に示すように投影する場合を考える。この例では、図１１の９０１に示すように、投影領域が完全に包含されており、補正処理なしに投影すると、２つの画像が重なり、上手く投影できない。このときは重なっている領域が多重に投影されないように画像を補正、すなわち、一方の画像において、図１２のように、元の画像１０２から重なり領域を切り抜き、図１１の９０２に示すように地図上にきれいに情報（ここでは、天気予報文字）を重ね合わせて表示することを実現する。
【００６７】
図１３は、本発明の他のプロジェクタ装置を示す構成図である。同図によれば、このプロジェクタ装置は、投影装置１、回転鏡２、投影方向制御部３、可視光カメラ４Ａ、赤外光カメラ４Ｂ、投影画像制御部５、投影画像処理部６、フィルタ７とを有する。
【００６８】
このプロジェクタ装置では、画像投影光学系に赤外領域をカットするフィルタ７を備えることにより、赤外領域の波長を検出するカメラ４Ｂにおいては、投影装置１から出射される強い光の散乱光等のノイズ光の影響を受けることなく、回転鏡２や遮蔽物のみを精度よく検出することができる。この場合、可視領域の波長を検出するカメラ４Ａにおいては、投影画像のみを検出すればよく、２台のカメラ４Ａ，４Ｂで役割を分担することが可能となる。
【００６９】
なお、例えば、マルチスペクトルカメラのような赤外領域の波長と可視領域の波長とを分離して検出することができるカメラを用いれば、必ずしも２台のカメラを備えなくても、本実施形態と同様の作用効果を得ることができる。
【００７０】
なお、図１で示した処理の各部の一部もしくは全部の処理機能を、コンピュータを用いて実現できること、あるいは、図２、図３、図５で示した処理手順をコンピュータに実行させることができることは言うまでもなく、コンピュータでその各部の処理機能を実現するためのプログラム、あるいは、コンピュータにその処理手順を実行させるためのプログラムを、そのコンピュータが読み取ら可能な記録媒体、例えば、ＦＤ（フレキシブルディスク）や、ＭＯ，ＲＯＭ、メモリカード、ＣＤ，ＤＶＤ、リムーバルディスクなどに記録して、保存したり、提供したりすることが可能であり、また、インターネットのような通信ネットワークを通じて、配布したりすることが可能である。
【００７１】
以上、本発明を実施形態例に基づき具体的に説明したが、本発明は上記の実施形態例に限定されるものではなく、その要旨を逸脱しない範囲で種々変更可能であることはいうまでもない。
【００７２】
【発明の効果】
本発明によれば、回転鏡を少なくとも２つ以上有するように構成されることにより、ひとつの投影を複数の投影で構成できるようになり、本来重畳されて見えない情報が一方の手などの遮蔽物で遮蔽することにより、投影画像処理部にフィードバックがかかり、画像が補正され、見ることができるようにし、非常に使い勝手の良い処理を実現できる効果が得られる。
【００７３】
また、投影画像を投影する際、回転鏡の回転運動に伴うノッキング状態を検出することにより、可動型の光学系のための駆動装置が有する問題を軽減できるようにし、微動による投影画像が非常に見にくい状態を排除できるようにし、非常に見やすい情報の提示を実現できる効果が得られる。
【００７４】
更には、複数の回転鏡の配置状態に応じて投影する画像を補正することにより、投影される画像の情報を並べて利用したり、重ねて利用したりできるようにし、非常に快適な情報の提示を実現できる効果が得られる。
【図面の簡単な説明】
【図１】本発明の実施形態におけるプロジェクタ装置を示す構成図。
【図２】図１に示した各部の処理フロー。
【図３】図１に示した各部の処理フロー。
【図４】本発明の実施形態における装置方向と投影位置の状態図。
【図５】図３における投影画像の補正処理の詳細を示す処理フロー。
【図６】本発明の実施形態における投影例を説明するための図。
【図７】本発明の実施形態における投影例を説明するための図。
【図８】本発明の実施形態における投影例を説明するための図。
【図９】本発明の実施形態における投影例を説明するための図。
【図１０】本発明の実施形態における投影例を説明するための図。
【図１１】本発明の実施形態における投影例を説明するための図。
【図１２】本発明の実施形態における投影例を説明するための図。
【図１３】本発明の他の実施形態におけるプロジェクタ装置を示す構成図。
【符号の説明】
１…投影装置
２…回転鏡
３…投影方向制御部
４…カメラ
４Ａ…可視光カメラ
４Ｂ…赤外光カメラ
５…投影画像制御部
６…投影画像処理部
７…フィルタ
【図１】
2004177841.tif 000003
【図２】
2004177841.tif 000004
【図３】
2004177841.tif 000005
【図４】
2004177841.tif 000006
【図５】
2004177841.tif 000007
【図６】
2004177841.tif 000008
【図７】
2004177841.tif 000009
【図８】
2004177841.tif 000010
【図９】
2004177841.tif 000011
【図１０】
2004177841.tif 000012
【図１１】
2004177841.tif 000013
【図１２】
2004177841.tif 000014
【図１３】
2004177841.tif 000015